【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
クレジット決済を処理する方法であって：
トランザクション端末により送信されたトランザクション情報を受信するステップ（Ｓ３１０）と；
前記トランザクション情報に基づきトランザクション応答情報を生成するステップと；
前記トランザクション応答情報を前記トランザクション端末へ送信するステップ（Ｓ３２０）と；
前記トランザクション端末により送信された現在の決済トランザクションの引き落とし受諾要求情報を受信するステップ（Ｓ３３０）と；
前記引き落とし受諾要求情報と前記トランザクション応答情報とに基づき、前記モバイル端末内で、アプリケーション秘密鍵生成決済認証ライセンスを生成するステップ（Ｓ３４０）と；
前記決済認証ライセンスを前記トランザクション端末へ送信することで、前記トランザクション端末が、前記現在の決済トランザクションを、受信された前記決済認証ライセンスに基づき完了できるようにするステップと（Ｓ３５０）；を備える、
クレジット決済を処理する方法。
【請求項２】
前記トランザクション情報に対応する前記トランザクション応答情報を、前記トランザクション端末へ送信するステップの後に：
前記トランザクション端末により送信されたアプリケーション公開鍵証明書返送要求情報を受信するステップ（Ｓ３６０）と；
前記アプリケーション公開鍵証明書返送要求情報に基づき、前記モバイル端末内でアプリケーション公開鍵証明書のためのアプリケーション公開鍵証明書応答情報を生成し、前記アプリケーション公開鍵証明書応答情報を、前記トランザクション端末へ送信するステップ（Ｓ３７０）と；を更に備える、
請求項１に記載の方法。
【請求項３】
アプリケーション秘密鍵生成決済認証ライセンスを生成するステップは：
前記モバイル端末に格納されたアプリケーション秘密鍵を用いて、前記引き落とし受諾要求情報に基づき署名データを生成するステップ（Ｓ３６１）と；
前記モバイル端末で予め生成されたＴＡＣサブキーを用いて、前記引き落とし受諾要求情報と前記トランザクション応答情報とに基づきＴＡＣを生成するステップ（Ｓ３６２）と；
前記署名データと前記ＴＡＣを前記決済認証ライセンスとして用いるステップ（Ｓ３６３）と；を備える、
請求項１又は請求項２に記載の方法。
【請求項４】
前記決済方法は公共交通機関の決済に適用され、
前記トランザクション応答情報は決済カード番号、利用可能限度額、及び入場／退場フラグを含む、
請求項１乃至請求項３のいずれか１項に記載の方法。
【請求項５】
前記引き落とし受諾要求情報は、引き落とし金額、前記現在の決済トランザクションの日付、前記現在の決済トランザクションの時刻、前記現在の決済トランザクションの入場／退場フラグ、及び前記現在の決済トランザクションの駅情報を含む、
請求項１乃至請求項４のいずれか１項に記載の方法。
【請求項６】
前記現在の引き落とし受諾要求情報中の前記引き落とし金額に基づき、前記トランザクション応答情報中の前記利用可能限度額から前記引き落とし金額を差し引いて現在の利用可能限度額を取得するステップ（Ｓ３８０）と；
前記利用可能限度額を、前記モバイル端末に対応するユーザの利用可能限度額として用いるステップ（Ｓ３９０）と；を更に備える、
請求項５に記載の方法。
【請求項７】
クレジット決済を処理する方法であって：
トランザクション情報をモバイル端末へ送信するステップ（Ｓ４１０）と；
前記モバイル端末により送信されたトランザクション応答情報を受信するステップ（Ｓ４２０）と；
前記トランザクション応答情報に基づき、前記現在の決済トランザクションの引き落とし受諾要求情報を生成するステップ（Ｓ４３０）と；
前記引き落とし受諾要求情報を前記モバイル端末へ送信するステップ（Ｓ４４０）と；
決済認証ライセンスを受信すると、前記決済認証ライセンスに基づき、前記決済トランザクションが完了したと特定するステップ（Ｓ４５０）と；を備える、
クレジット決済を処理する方法。
【請求項８】
前記モバイル端末により送信されたトランザクション応答情報を受信する前記ステップの後に：
アプリケーション公開鍵証明書返送要求情報を前記モバイル端末へ送信するステップ（Ｓ４６０）と；
前記モバイル端末により送信されたアプリケーション公開鍵証明書応答情報を受信するステップ（Ｓ４７０）と；
前記トランザクション端末上のクレジット公開鍵を用いて、前記アプリケーション公開鍵証明書応答情報中のアプリケーション公開鍵証明書の署名を検証するステップ（Ｓ４８０）と；
前記検証中に、前記アプリケーション公開鍵証明書からアプリケーション公開鍵が復元された場合、前記現在の決済トランザクションの引き落とし受諾要求情報を生成する前記ステップを実行するステップと；を更に備える、
請求項７に記載の方法。
【請求項９】
前記決済方法は公共交通機関の決済に適用され、
前記トランザクション応答情報は、決済カード番号、利用可能限度額、及び入場／退場フラグを含む、
請求項７又は請求項８に記載の方法。
【請求項１０】
前記トランザクション応答情報中の前記決済カード番号が所定のブラックリストに載っているか否かを特定するステップ（Ｓ４０１）と；
前記トランザクション応答情報中の前記決済カード番号が前記所定のブラックリストに載っていない場合、アプリケーション公開鍵証明書返送要求情報を前記モバイル端末へ送信する前記ステップを実行するステップと；を更に備える、
請求項９に記載の方法。
【請求項１１】
前記トランザクション応答情報中の前記利用可能限度額が所定の閾値以上であるか否かを特定するステップ（Ｓ４０２）と；
前記利用可能限度額が前記所定の閾値以上である場合、前記トランザクション応答情報中の前記入場／退場フラグが退場状態にあるか否かをチェックするステップ（Ｓ４０３）と；
前記入場／退場フラグが退場状態にある場合、アプリケーション公開鍵証明書返送要求情報を前記モバイル端末へ送信する前記ステップを実行するステップ（Ｓ４６０）と；を更に備える、
請求項９に記載の方法。
【請求項１２】
前記決済認証ライセンスは、署名データとＴＡＣとを含み、
前記決済認証ライセンスに基づき、前記現在の決済トランザクションを完了できると特定する前記ステップは：
前記アプリケーション公開鍵を用いて前記署名データを検証するステップ（Ｓ４８１）と；
前記署名データが検証される際に、トランザクションログを生成するステップ（Ｓ４８２）と；
前記トランザクションログを前記所定のサーバへ送信することで、前記所定のサーバが、前記トランザクションログに基づいて、前記モバイル端末に対応するユーザアカウントから、対応する資金額を引き落とせるようにするステップ（Ｓ４８３）と；を備え、
前記トランザクションログは、前記引き落とし金額、トランザクションの日付、トランザクション時刻、トランザクション端末ＩＤ、決済カード番号、利用可能限度額、及びＴＡＣを含む、
請求項８乃至請求項１１のいずれか１項に記載の方法。
【請求項１３】
ＩＤカード番号、氏名、銀行カード番号、及び電子メールアドレスのうちの少なくとも１つを備える、前記モバイル端末に対応するユーザＩＤ情報を取得するステップ（Ｓ１０５）を更に備える、
請求項７乃至請求項１２のいずれか１項に記載の方法。
【請求項１４】
前記トランザクション端末は、ピア・ツー・ピアのデータ伝送を使用して前記モバイル端末と通信する、
請求項１乃至請求項１２のいずれか１項に記載の方法。
【請求項１５】
モバイル端末に適用されるクレジット決済を処理するための装置であって、請求項１乃至請求項１４のいずれか１項に記載の方法を実行するように構成された複数のモジュールを備える、
クレジット決済を処理するための装置。
【手続補正２】
【補正対象書類名】明細書
【補正対象項目名】０２７３
【補正方法】変更
【補正の内容】
【０２７３】
当然ながら、本願は、先に記載され、添付図面に示される精確な構造に限定されるものではなく、本願の範囲から逸脱することなく改造及び変更を行うことができる。本願の権利範囲は、特許請求の範囲によって限定される。
以下、本発明の実施の態様の例を列挙する。
［第１の局面］
モバイル端末に適応される、モバイル端末Ｐ２Ｐに基づくクレジット決済方法であって：
トランザクション端末により送信されたトランザクション情報を受信するステップと；
前記トランザクション情報に基づきトランザクション応答情報を生成し、前記トランザクション応答情報を前記トランザクション端末へ送信するステップと；
前記トランザクション端末により送信された現在の決済トランザクションの引き落とし受諾要求情報を受信するステップと；
前記引き落とし受諾要求情報と前記トランザクション応答情報とに基づき、前記モバイル端末内で、アプリケーション秘密鍵生成決済認証ライセンスを生成するステップと；
前記決済認証ライセンスを前記トランザクション端末へ送信することで、前記トランザクション端末が、前記現在の決済トランザクションを、受信された前記決済認証ライセンスに基づき完了できるようにするステップと；を備える、
モバイル端末Ｐ２Ｐに基づくクレジット決済方法。
［第２の局面］
前記トランザクション情報に対応する前記トランザクション応答情報を、前記トランザクション端末へ送信する前記ステップの後に：
前記トランザクション端末により送信されたアプリケーション公開鍵証明書返送要求情報を受信するステップと；
前記アプリケーション公開鍵証明書返送要求情報に基づき、前記モバイル端末内でアプリケーション公開鍵証明書のためのアプリケーション公開鍵証明書応答情報を生成し、前記アプリケーション公開鍵証明書応答情報を、前記トランザクション端末へ送信するステップと；を更に備える、
第１の局面に記載のクレジット決済方法。
［第３の局面］
アプリケーション秘密鍵生成決済認証ライセンスを生成する前記ステップは：
前記モバイル端末に格納されたアプリケーション秘密鍵を用いて、前記引き落とし受諾要求情報に基づき署名データを生成するステップと；
前記モバイル端末で予め生成されたＴＡＣサブキーを用いて、前記引き落とし受諾要求情報と前記トランザクション応答情報とに基づきＴＡＣを生成するステップと；
前記署名データと前記ＴＡＣを前記決済認証ライセンスとして用いるステップと；を備える、
第１の局面に記載のクレジット決済方法。
［第４の局面］
前記決済方法は公共交通機関の決済に適用され、
前記トランザクション応答情報は決済カード番号、利用可能限度額、及び入場／退場フラグを含む、
第１の局面に記載のクレジット決済方法。
［第５の局面］
前記引き落とし受諾要求情報は、引き落とし金額、前記現在の決済トランザクションの日付、前記現在の決済トランザクションの時刻、前記現在の決済トランザクションの入場／退場フラグ、及び前記現在の決済トランザクションの駅情報を含む、
第１乃至４の局面のいずれかに記載のクレジット決済方法。
［第６の局面］
前記現在の引き落とし受諾要求情報中の前記引き落とし金額に基づき、前記トランザクション応答情報中の前記利用可能限度額から前記引き落とし金額を差し引いて現在の利用可能限度額を取得するステップと；
前記利用可能限度額を、前記モバイル端末に対応するユーザの利用可能限度額として用いるステップと；を更に備える、
第５の局面に記載のクレジット決済方法。
［第７の局面］
トランザクション端末に適用される、モバイル端末Ｐ２Ｐに基づくクレジット決済方法であって：
トランザクション情報をモバイル端末へ送信するステップと；
前記モバイル端末により送信されたトランザクション応答情報を受信するステップと；
前記トランザクション応答情報に基づき、前記現在の決済トランザクションの引き落とし受諾要求情報を生成するステップと；
前記引き落とし受諾要求情報を前記モバイル端末へ送信するステップと；
決済認証ライセンスを受信すると、前記決済認証ライセンスに基づき、前記決済トランザクションが完了したと特定するステップと；を備える、
モバイル端末Ｐ２Ｐに基づくクレジット決済方法。
［第８の局面］
前記モバイル端末により送信されたトランザクション応答情報を受信する前記ステップの後に：
アプリケーション公開鍵証明書返送要求情報を前記モバイル端末へ送信するステップと；
前記モバイル端末により送信されたアプリケーション公開鍵証明書応答情報を受信するステップと；
前記トランザクション端末上のクレジット公開鍵を用いて、前記アプリケーション公開鍵証明書応答情報中のアプリケーション公開鍵証明書の署名を検証するステップと；
前記検証中に、前記アプリケーション公開鍵証明書からアプリケーション公開鍵が復元された場合、前記現在の決済トランザクションの引き落とし受諾要求情報を生成する前記ステップを実行するステップと；を更に備える、
第７の局面に記載のクレジット決済方法。
［第９の局面］
前記決済方法は公共交通機関の決済に適用され、
前記トランザクション応答情報は、決済カード番号、利用可能限度額、及び入場／退場フラグを含む、
第７又は８の局面に記載のクレジット決済方法。
［第１０の局面］
前記トランザクション応答情報中の前記決済カード番号が所定のブラックリストに載っているか否かを特定するステップと；
前記トランザクション応答情報中の前記決済カード番号が前記所定のブラックリストに載っていない場合、アプリケーション公開鍵証明書返送要求情報を前記モバイル端末へ送信する前記ステップを実行するステップと；を更に備える、
第９の局面に記載のクレジット決済方法。
［第１１の局面］
前記トランザクション応答情報中の前記利用可能限度額が所定の閾値以上であるか否かを特定するステップと；
前記利用可能限度額が前記所定の閾値以上である場合、前記トランザクション応答情報中の前記入場／退場フラグが退場状態にあるか否かをチェックするステップと；
前記入場／退場フラグが退場状態にある場合、アプリケーション公開鍵証明書返送要求情報を前記モバイル端末へ送信する前記ステップを実行するステップと；を更に備える、
第９の局面に記載のクレジット決済方法。
［第１２の局面］
前記決済認証ライセンスは、署名データとＴＡＣとを含み、
前記決済認証ライセンスに基づき、前記現在の決済トランザクションを完了できると特定する前記ステップは：
前記アプリケーション公開鍵を用いて前記署名データを検証するステップと；
前記署名データが検証される際に、トランザクションログを生成するステップと；
前記トランザクションログを前記所定のサーバへ送信することで、前記所定のサーバが、前記トランザクションログに基づいて、前記モバイル端末に対応するユーザアカウントから、対応する資金額を引き落とせるようにするステップと；を備え、
前記トランザクションログは、前記引き落とし金額、トランザクションの日付、トランザクション時刻、トランザクション端末ＩＤ、決済カード番号、利用可能限度額、及びＴＡＣを含む、
第８の局面に記載のクレジット決済方法。
［第１３の局面］
モバイル端末に適用される、モバイル端末Ｐ２Ｐに基づくクレジット決済装置であって：
前記トランザクション端末により送信されたトランザクション情報を受信するように構成された第１の返送要求情報受信ユニットと；
前記トランザクション情報に基づきトランザクション応答情報を生成するように構成されたトランザクション応答情報生成ユニットと；
前記トランザクション応答情報を前記トランザクション端末へ送信するように構成された情報送信ユニットと；
前記トランザクション端末により送信された前記現在の決済トランザクションの引き落とし受諾要求情報を受信するように構成された引き落とし受諾要求情報受信ユニットと；
前記引き落とし受諾要求情報と前記トランザクション応答情報とに基づき、前記モバイル端末内で、アプリケーション秘密鍵生成決済認証ライセンスを生成するように構成されたアプリケーション秘密鍵生成決済認証ライセンス生成ユニットと；
前記決済認証ライセンスを前記トランザクション端末へ送信して、前記トランザクション端末が、受信した前記決済認証ライセンスに基づき前記現在の決済トランザクションを完了できるように構成された決済認証ライセンス送信ユニットと；を備える、
モバイル端末Ｐ２Ｐに基づくクレジット決済装置。
［第１４の局面］
前記トランザクション端末により送信されたアプリケーション公開鍵証明書返送要求情報を受信するように構成された第２の返送要求情報受信ユニットと；
前記アプリケーション公開鍵証明書返送要求情報に基づき、前記モバイル端末内でアプリケーション公開鍵証明書のためのアプリケーション公開鍵証明書応答情報を生成するように構成されたアプリケーション公開鍵証明書応答情報の生成ユニットと；
前記アプリケーション公開鍵証明書応答情報を前記トランザクション端末へ送信するように構成された公開鍵証明書応答情報送信ユニットと；を更に備える、
第１３の局面に記載のクレジット決済装置。
［第１５の局面］
前記アプリケーション秘密鍵生成決済認証ライセンス生成ユニットは：
前記モバイル端末に格納されたアプリケーション秘密鍵を用いて、前記引き落とし受諾要求情報に基づき署名データを生成するように構成された署名データ生成モジュールと；
前記モバイル端末内で事前に生成されたＴＡＣサブキーを用いて、前記引き落とし受諾要求情報と前記トランザクション応答情報とに基づきＴＡＣを生成するように構成された情報生成モジュールと；
前記署名データと前記ＴＡＣとを前記決済認証ライセンスとして用いるように構成された決済認証ライセンス特定モジュールと；を備える、
第１３の局面に記載のクレジット決済装置。
［第１６の局面］
前記クレジット決済装置は公共交通機関の決済に適用され、
前記トランザクション応答情報は、決済カード番号、利用可能限度額、入場／退場フラグ、及び最後のトランザクション情報を含む、
第１３の局面に記載のクレジット決済装置。
［第１７の局面］
前記引き落とし受諾要求情報は、引き落とし金額、前記現在の決済トランザクションの日付、前記現在の決済トランザクションの時刻、前記現在の決済トランザクションの入場／退場フラグ、及び前記現在の決済トランザクションの駅情報を含む、
第１３乃至１６の局面のいずれかに記載のクレジット決済装置。
［第１８の局面］
現在の利用可能限度額を得るために、前記引き落とし受諾要求情報中の前記引き落とし金額に基づき、前記トランザクション応答情報中の前記利用可能限度額から前記引き落とし金額を差し引くように構成された現在の利用可能限度額生成ユニットと；
前記現在の利用可能限度額を、前記モバイル端末に対応するユーザの利用可能限度額として用いるように構成された利用可能限度額特定ユニットと；を更に備える、
第１７の局面に記載のクレジット決済装置。
［第１９の局面］
トランザクション端末に適用される、モバイル端末Ｐ２Ｐに基づくクレジット決済装置であって：
トランザクション情報をモバイル端末へ送信するように構成されたトランザクション情報送信ユニットと；
前記モバイル端末により送信されたトランザクション応答情報を受信するように構成されたトランザクション応答情報受信ユニットと；
前記トランザクション応答情報に基づき、前記現在の決済トランザクションの引き落とし受諾要求情報を生成するように構成された引き落としユニットと；
前記引き落とし受諾要求情報を前記モバイル端末へ送信するように構成された引き落とし受諾要求情報送信ユニットと；
決済認証ライセンスが受信されると、前記決済認証ライセンスに基づき、前記現在の決済トランザクションを終了することが可能か否かを特定するように構成された現在の決済トランザクション完了ユニットと；を備える、
モバイル端末Ｐ２Ｐに基づくクレジット決済装置。
［第２０の局面］
アプリケーション公開鍵証明書返送要求情報を前記モバイル端末へ送信するように構成された返信要求情報送信ユニットと；
前記モバイル端末により送信されたアプリケーション公開鍵証明書応答情報を受信するように構成された公開鍵証明書応答情報受信ユニットと；
前記トランザクション端末内のクレジットライセンス付き公開鍵を用いて、前記アプリケーションン公開鍵証明書応答情報中のアプリケーション公開鍵証明書の署名を検証するように構成された署名検証ユニットと；を更に備える、
第１９の局面に記載のクレジット決済装置。
［第２１の局面］
前記トランザクション応答情報は、決済カード番号、利用可能限度額、及び入場／退場フラグを含む、
第１９又は２０の局面に記載のクレジット決済装置。
［第２２の局面］
前記トランザクション応答情報中の前記決済カード番号が所定のブラックリストに載っているか否かを特定するように構成されたブラックリスト特定ユニットを更に備え、
前記返送要求情報送信ユニットは、前記トランザクション応答情報中の前記決済カード情報が前記所定のブラックリストに載っていない場合に、前記アプリケーション公開鍵証明書返送要求情報を前記モバイル端末へ送信するように更に構成される、
第２１の局面に記載のクレジット決済装置。
［第２３の局面］
前記トランザクション応答情報中の前記利用可能限度額が所定の閾値以上であるか否かを特定するように構成された閾値特定ユニットと；
前記利用可能限度額が前記所定の閾値以上である場合、前記トランザクション応答情報中の前記入場／退場フラグが退場状態にあるか否かをチェックするように構成された状態チェックユニットと；を更に備える、
第２１の局面に記載のクレジット決済装置。
［第２４の局面］
前記決済認証ライセンスは、署名データとＴＡＣとを含み、
前記現在の決済トランザクション完了ユニットは：
前記アプリケーション公開鍵を用いて前記署名データを検証するように構成された署名検証モジュールと；
前記署名データを検証する際に、トランザクションログを生成するように構成されたトランザクションログ生成モジュールと；
前記トランザクションログを所定のサーバへ送信して、前記所定のサーバが、前記トランザクションログに基づき、前記モバイル端末に対応するユーザアカウントから、対応する資金額を引き落とせるように構成されたトランザクションログ送信モジュールと；を備え、
前記トランザクションログは、前記引き落とし金額、トランザクションの日付、トランザクション時刻、トランザクション端末ＩＤ、決済カード番号、利用可能限度額、及び前記ＴＡＣを含む、
第２０の局面に記載のクレジット決済装置。